(57)【要約】【課題】複数種類の媒体を処理する媒体処理装置のサイズを小さくすることが可能な技術の提供が望まれる。【解決手段】異なる種類の第１の媒体および第２の媒体が挿入される媒体挿入口と、前記第１の媒体および前記第２の媒体の双方が搬送される搬送路と、前記第１の媒体に対しては所定の第１の処理を制御し、前記第２の媒体に対しては前記第１の処理とは異なる所定の第２の処理を制御する制御部と、を備える、媒体処理装置が提供される。【選択図】図１
2017004283.tif 000002
【特許請求の範囲】
【請求項１】
異なる種類の第１の媒体および第２の媒体が挿入される媒体挿入口と、
前記第１の媒体および前記第２の媒体の双方が搬送される搬送路と、
前記第１の媒体に対しては所定の第１の処理を制御し、前記第２の媒体に対しては前記第１の処理とは異なる所定の第２の処理を制御する制御部と、
を備える、媒体処理装置。
【請求項２】
前記第１の媒体は、通帳であり、前記第２の媒体は、紙幣である、
請求項１に記載の媒体処理装置。
【請求項３】
前記制御部は、前記第１の媒体に対する前記第１の処理として前記通帳に対する印字処理を印字ヘッドに実行させる、
請求項２に記載の媒体処理装置。
【請求項４】
前記制御部は、前記第２の媒体に対する前記第２の処理として前記紙幣を所定の収納部に搬送させる処理を搬送部に実行させる、
請求項３に記載の媒体処理装置。
【請求項５】
前記制御部は、前記紙幣の認識結果に対応する前記収納部に前記第２の媒体を搬送させる、
請求項４に記載の媒体処理装置。
【請求項６】
前記制御部は、前記媒体挿入口からオペレータに挿入させる紙幣の金額を入金額として表示部に表示させ、前記媒体挿入口から挿入された前記紙幣を前記入金額に対応する前記収納部に搬送させる、
請求項４に記載の媒体処理装置。
【請求項７】
前記制御部は、前記第１の媒体に対する前記第１の処理として、前記通帳に対する印字に関する情報を磁気ヘッドにより前記通帳に対して書き込む処理、または、前記印字に関する情報をホストコンピュータに送信する送信処理を制御する、
請求項２に記載の媒体処理装置。
【請求項８】
前記制御部は、カードから読み取られた口座番号に対応する残高が出金額を下回らない場合に、前記出金額に相当する紙幣を前記収納部から繰り出させて前記媒体挿入口から排出させ、前記媒体挿入口から通帳が挿入されると、前記通帳に対して前記出金額を前記印字ヘッドに印字させ、前記通帳を前記媒体挿入口から返却させる、
請求項４に記載の媒体処理装置。
【請求項９】
前記制御部は、前記搬送路を塞ぐように設けられたシャッタを前記印字ヘッドまで移動させ、前記シャッタに前記通帳が突き当てられたことが検出された場合、前記通帳への印字を前記印字ヘッドに実行させる、
請求項３に記載の媒体処理装置。
【請求項１０】
前記制御部は、前記媒体挿入口を塞ぐように設けられたシャッタがスライドして突き当て面に突き当てられたことが検出された場合に、前記シャッタに突き当てられている前記通帳への印字を前記印字ヘッドに実行させる、
請求項３に記載の媒体処理装置。
【請求項１１】
前記制御部は、前記通帳への印字が完了すると、前記シャッタを磁気ヘッドまで移動させ、前記シャッタに前記通帳が再度突き当てられたことが検出された場合、前記通帳への磁気データの書き込みを前記磁気ヘッドに実行させる、
請求項９に記載の媒体処理装置。
【請求項１２】
前記制御部は、前記通帳への印字が完了し、前記シャッタに前記通帳が再度突き当てられたことが検出された場合、前記搬送路を塞がないように前記シャッタを移動させ、前記通帳を磁気ヘッドまで搬送部に搬送させ、前記通帳への磁気データの書き込みを前記磁気ヘッドに実行させる、
請求項９に記載の媒体処理装置。
【請求項１３】
前記制御部は、前記搬送路を塞ぐように設けられたシャッタを磁気ヘッドまで移動させ、前記シャッタに前記通帳が突き当てられたことが検出された場合、前記通帳への磁気データの書き込みを前記磁気ヘッドに実行させる、
請求項３に記載の媒体処理装置。
【請求項１４】
前記制御部は、前記媒体挿入口を塞ぐように設けられたシャッタがスライドして突き当て面に突き当てられたことが検出された場合に、前記シャッタに突き当てられている前記通帳への磁気データの書き込みを磁気ヘッドに実行させる、
請求項３に記載の媒体処理装置。
【請求項１５】
前記制御部は、前記通帳への前記磁気データの書き込みが完了すると、前記シャッタを前記印字ヘッドまで移動させ、前記シャッタに前記通帳が再度突き当てられたことが検出された場合、前記通帳への印字を前記印字ヘッドに実行させる、
請求項１３に記載の媒体処理装置。
【請求項１６】
前記制御部は、前記通帳への前記磁気データの書き込みが完了し、前記シャッタに前記通帳が再度突き当てられたことが検出された場合、前記搬送路を塞がないように前記シャッタを移動させ、前記通帳を前記印字ヘッドまで搬送部に搬送させ、前記通帳への印字を前記印字ヘッドに実行させる、
請求項１３に記載の媒体処理装置。
【請求項１７】
前記媒体処理装置は、
前記第１の媒体を搬送する第１の搬送部と前記第２の媒体を搬送する第２の搬送部とを備える、
請求項１または２に記載の媒体処理装置。
【発明の詳細な説明】
【技術分野】
【０００１】
本発明は、媒体処理装置に関する。
【背景技術】
【０００２】
従来、媒体を処理する媒体処理装置が普及している。かかる媒体処理装置の中には、複数種類の媒体を処理することが可能な媒体処理装置も存在する。例えば、種類の異なる第１の媒体および第２の媒体を処理することが可能な媒体処理装置が開示されている（例えば、特許文献１参照）。かかる媒体処理装置においては、第１の媒体が搬送される第１の搬送路と第２の媒体が搬送される第２の搬送路とが個別に存在する。
【先行技術文献】
【特許文献】
【０００３】
【特許文献１】特開２００１−２１５３４６号公報
【発明の概要】
【発明が解決しようとする課題】
【０００４】
しかしながら、第１の媒体が搬送される第１の搬送路と第２の媒体が搬送される第２の搬送路とが個別に存在する場合、媒体処理装置は第１の搬送路と第２の搬送路との双方を収容する必要があるため、媒体処理装置のサイズが大きくなってしまう。そこで、複数種類の媒体を処理する媒体処理装置のサイズを小さくすることが可能な技術の提供が望まれる。
【課題を解決するための手段】
【０００５】
上記問題を解決するために、本発明のある観点によれば、異なる種類の第１の媒体および第２の媒体が挿入される媒体挿入口と、前記第１の媒体および前記第２の媒体の双方が搬送される搬送路と、前記第１の媒体に対しては所定の第１の処理を制御し、前記第２の媒体に対しては前記第１の処理とは異なる所定の第２の処理を制御する制御部と、を備える、媒体処理装置が提供される。
【０００６】
前記第１の媒体は、通帳であり、前記第２の媒体は、紙幣であってよい。
【０００７】
前記制御部は、前記第１の媒体に対する前記第１の処理として前記通帳に対する印字処理を印字ヘッドに実行させてよい。
【０００８】
前記制御部は、前記第２の媒体に対する前記第２の処理として前記紙幣を所定の収納部に搬送させる処理を搬送部に実行させてよい。
【０００９】
前記制御部は、前記紙幣の認識結果に対応する前記収納部に前記第２の媒体を搬送させてよい。
【００１０】
前記制御部は、前記媒体挿入口からオペレータに挿入させる紙幣の金額を入金額として表示部に表示させ、前記媒体挿入口から挿入された前記紙幣を前記入金額に対応する前記収納部に搬送させてよい。
【００１１】
前記制御部は、前記第１の媒体に対する前記第１の処理として、前記通帳に対する印字に関する情報を磁気ヘッドにより前記通帳に対して書き込む処理、または、前記印字に関する情報をホストコンピュータに送信する送信処理を制御してよい。
【００１２】
前記制御部は、カードから読み取られた口座番号に対応する残高が出金額を下回らない場合に、前記出金額に相当する紙幣を前記収納部から繰り出させて前記媒体挿入口から排出させ、前記媒体挿入口から通帳が挿入されると、前記通帳に対して前記出金額を前記印字ヘッドに印字させ、前記通帳を前記媒体挿入口から返却させてよい。
【００１３】
前記制御部は、前記搬送路を塞ぐように設けられたシャッタを前記印字ヘッドまで移動させ、前記シャッタに前記通帳が突き当てられたことが検出された場合、前記通帳への印字を前記印字ヘッドに実行させてよい。
【００１４】
前記制御部は、前記媒体挿入口を塞ぐように設けられたシャッタがスライドして突き当て面に突き当てられたことが検出された場合に、前記シャッタに突き当てられている前記通帳への印字を前記印字ヘッドに実行させてよい。
【００１５】
前記制御部は、前記通帳への印字が完了すると、前記シャッタを磁気ヘッドまで移動させ、前記シャッタに前記通帳が再度突き当てられたことが検出された場合、前記通帳への磁気データの書き込みを前記磁気ヘッドに実行させてよい。
【００１６】
前記制御部は、前記通帳への印字が完了し、前記シャッタに前記通帳が再度突き当てられたことが検出された場合、前記搬送路を塞がないように前記シャッタを移動させ、前記通帳を磁気ヘッドまで搬送部に搬送させ、前記通帳への磁気データの書き込みを前記磁気ヘッドに実行させてよい。
【００１７】
前記制御部は、前記搬送路を塞ぐように設けられたシャッタを磁気ヘッドまで移動させ、前記シャッタに前記通帳が突き当てられたことが検出された場合、前記通帳への磁気データの書き込みを前記磁気ヘッドに実行させてよい。
【００１８】
前記制御部は、前記媒体挿入口を塞ぐように設けられたシャッタがスライドして突き当て面に突き当てられたことが検出された場合に、前記シャッタに突き当てられている前記通帳への磁気データの書き込みを磁気ヘッドに実行させてよい。
【００１９】
前記制御部は、前記通帳への前記磁気データの書き込みが完了すると、前記シャッタを前記印字ヘッドまで移動させ、前記シャッタに前記通帳が再度突き当てられたことが検出された場合、前記通帳への印字を前記印字ヘッドに実行させてよい。
【００２０】
前記制御部は、前記通帳への前記磁気データの書き込みが完了し、前記シャッタに前記通帳が再度突き当てられたことが検出された場合、前記搬送路を塞がないように前記シャッタを移動させ、前記通帳を前記印字ヘッドまで搬送部に搬送させ、前記通帳への印字を前記印字ヘッドに実行させてよい。
【００２１】
前記媒体処理装置は、前記第１の媒体を搬送する第１の搬送部と前記第２の媒体を搬送する第２の搬送部とを備えてもよい。
【発明の効果】
【００２２】
以上説明したように本発明によれば、複数種類の媒体を処理する媒体処理装置のサイズを小さくすることが可能となる。
【図面の簡単な説明】
【００２３】
【図１】一般的な移動取引自動車を用いた取引の概略を示した説明図である。
【図２】一般的な移動取引自動車の外観を示す説明図である。
【図３】通帳記帳部の内部構成例を示す図である。
【図４】本発明の実施形態に係る移動取引自動車の外観を示す説明図である。
【図５】第１の実施形態に係る媒体処理装置における媒体処理部の内部構成例を示す平面図および側面図である。
【図６】第１の実施形態に係る媒体処理装置における制御部の動作例を示すフローチャートである。
【図７】第１の実施形態に係る媒体処理装置における制御部の他の動作例を示すフローチャートである。
【図８】第２の実施形態に係る媒体処理装置における媒体処理部の内部構成例を示す平面図および側面図である。
【図９】第３の実施形態に係る媒体処理装置における媒体処理部の内部構成例を示す平面図および側面図である。
【図１０】第４の実施形態に係る媒体処理装置における媒体処理部の内部構成例を示す平面図および側面図である。
【発明を実施するための形態】
【００２４】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００２５】
また、本明細書および図面において、実質的に同一の機能構成を有する複数の構成要素を、同一の符号の後に異なる数字を付して区別する。また、異なる実施形態の類似する構成要素については、同一の符号の後に異なるアルファベットを付して区別する。ただし、実質的に同一の機能構成を有する複数の構成要素等の各々を特に区別する必要がない場合、同一符号のみを付する。
【００２６】
（１．一般的な媒体処理装置の概要）
まず、図１〜図３を参照しながら、一般的な媒体処理装置の概要について説明する。なお、本発明の実施形態に係る媒体処理装置のサイズを小さくするという趣旨に鑑みて、媒体処理装置のサイズを小さくすることが有用である形態（一例として、媒体処理装置が自動車に搭載される形態）を想定する。そこで、図１〜図３を参照しながら、媒体処理装置と媒体処理装置が搭載される自動車とを有する一般的な移動取引自動車の概要についても説明する。
【００２７】
図１は、一般的な移動取引自動車を用いた取引の概略を示した説明図である。図１に示すように、一般的な移動取引自動車９は、内部に媒体処理装置９０を搭載する。媒体処理装置９０は、入出金や通帳・帳票などの記帳といった金融サービスを提供するための装置であり、通信網３を介して金融機関２の内部に設置されたホストコンピュータ２０と通信することが可能である。
【００２８】
通信網３は、通信網３に接続されている装置から送信される情報の有線、または無線の伝送路である。例えば、通信網３は、インターネット、電話回線網、衛星通信網などの公衆回線網や、Ｅｔｈｅｒｎｅｔ（登録商標）を含む各種のＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）などを含んでもよい。また、通信網３は、ＩＰ−ＶＰＮ（Ｉｎｔｅｒｎｅｔ  Ｐｒｏｔｏｃｏｌ−Ｖｉｒｔｕａｌ  Ｐｒｉｖａｔｅ  Ｎｅｔｗｏｒｋ）などの専用回線網を含んでもよい。
【００２９】
ホストコンピュータ２０は、金融機関２の内部に設置され、口座残高を含む顧客の情報を保持している。ホストコンピュータ２０は、通信網３を介して移動取引自動車９に搭載される媒体処理装置９０と通信可能であり、媒体処理装置９０の要求に応じて顧客の口座残高情報の提供や変更などを行う。以下、図２および図３を参照し、移動取引自動車９および媒体処理装置９０について、より具体的に説明する。
【００３０】
図２は、一般的な移動取引自動車９の外観を示す説明図である。移動取引自動車９は、媒体処理装置９０、台座１２、バッテリ１４を搭載し、台座１２の上部に媒体処理装置９０が配置される。台座１２には車体への固定に利用される機構として、例えば、ネジ穴（図示せず）などが備えられる。また、台座１２は、媒体処理装置９０を移動取引自動車９の車外から操作しやすい高さに調整する役割も担っている。バッテリ１４は、台座の下部などに配置され、媒体処理装置９０に接続されて電力を供給する。
【００３１】
媒体処理装置９０は、移動取引自動車９の外周縁部に配置される。これにより、移動取引自動車９の傍（車外）にいるオペレータや顧客は容易に媒体処理装置９０に接触することができる。なお、図２は移動取引自動車９を後方から見た外観を示しており、媒体処理装置９０は移動取引自動車９の後面外周縁部に配置されているが、媒体処理装置９０は移動取引自動車９の側面外周縁部に配置されてもよい。また、図２では移動取引自動車９の後方は開放されているが、移動取引自動車９の外周部（後面扉）は、開閉可能である。オペレータは、媒体処理装置９０を利用する場合に外周部を開放する。
【００３２】
媒体処理装置９０は、制御端末１２０、通帳記帳部１４０、現金処理部１６０およびケース１８０を備え、通帳記帳部１４０および現金処理部１６０は、ケース１８０の内部に収納される。通帳記帳部１４０は、通帳や帳票などの受取・返却を行うための開閉可能な通帳出入口１４２を有し、現金処理部１６０は、現金の受取、差出を行うための開閉可能な現金出入口１６２を有し、ケース１８０は、通帳出入口１４２と対面する領域に第１の開口部１８２４を有し、現金出入口１６２と対面する領域に第２の開口部１８２６を有する。また、ケース１８０は、ホルダ１８２２を備え、制御端末１２０は、ホルダ１８２２に着脱可能に取り付けられる。なお、通帳出入口１４２および現金出入口１６２は開閉可能である旨を記載したが、渉外員など取り扱いに慣れた係員によって利用されることを前提にシャッタ機能を持たなくてもよい。
【００３３】
ホルダ１８２２は、ケース１８０の上部に固定されている。ホルダ１８２２は、腕部と挟持部とを備え、制御端末１２０を挟み込むようにして固定することが可能であり、制御端末１２０の高さや角度を調整可能である。
【００３４】
ホルダ１８２２は、ケース１８０の上部に設けられることにより、オペレータの視線に近くなるため、操作性が向上される。さらに、ホルダ１８２２がケース１８０から突出するように腕部と挟持部とを備えれば、制御端末１２０自体のサイズが変更された場合であっても挟持部を動かすことにより制御端末１２０を挟持可能である。また、移動取引自動車９の開閉可能の図示せぬ後面扉が上部に開放される場合には、後部扉が日よけとして機能するため、制御端末１２０が見易くなる。
【００３５】
なお、ホルダ１８２２はケース１８０の前面上部に設けられてよいが、ケース１８０の側面に設けられてもよい。あるいは、移動取引自動車９の後面扉にホルダが設けられ、後面扉を開いた時に制御端末１２０がオペレータ側を向くように構成されていてもよい。また、ホルダ１８２２はケース１８０から突出するように腕部と挟持部を備えるように構成したが、ケース１８０に溝や爪などが設けられてもよい。そのとき、溝や爪などによって制御端末１２０がケース１８０に取り付けられるようにしてもよい。その場合は、ケース１８０に設けられた溝や爪がホルダ１８２２に相当する。
【００３６】
制御端末１２０は、通帳記帳部１４０、現金処理部１６０を無線通信により制御する。また、上記したように、制御端末１２０がホルダ１８２２に着脱可能に取り付けられていれば、ホルダ１８２２から制御端末１２０を取り外し、移動取引自動車９の車外に制御端末１２０を持ち出して利用することも可能である。ここで、制御端末１２０は、ホルダ１８２２から取り外された場合においても、通帳記帳部１４０および現金処理部１６０を無線通信により制御することが可能である。
【００３７】
なお、図２においては、制御端末１２０の一例としてタブレットＰＣを示しているが、制御端末１２０はタブレットＰＣに限定されない。例えば、制御端末１２０は、ＰＮＤ（Ｐｏｒｔａｂｌｅ／Ｐｅｒｓｏｎａｌ  Ｎａｖｉｇａｔｉｏｎ  Ｄｅｖｉｃｅ）、携帯電話、スマートフォン、ＰＨＳ（Ｐｅｒｓｏｎａｌ  Ｈａｎｄｙｐｈｏｎｅ  Ｓｙｓｔｅｍ）、携帯用映像処理装置などの情報処理装置であってもよい。
【００３８】
また、制御端末１２０は、タッチパネルディスプレイなど、表示機能と操作を受け付ける入力機能を有する表示操作部１２２を備えている。制御端末１２０がホルダ１８２２に取り付けられた状態では、制御端末１２０の表示操作部１２２、通帳記帳部１４０の通帳出入口１４２、および現金処理部１６０の現金出入口１６２は、オペレータや顧客の利便性向上を図るため、図２に示す通り、略同一方向かつ移動取引自動車９の外側を向いている。また、制御端末１２０は、紙幣処理装置９０の動作を制御する制御部１２１を有している。
【００３９】
図３は、通帳記帳部１４０の内部構成例を示す図である。図３に示すように、通帳記帳部１４０は、通帳が出入りする通帳出入口１４２と、通帳を把持しながら回転することによって通帳を送り出す通帳搬送ローラ２２と、通帳の磁気ストライプに対する磁気データの読み取りまたは書き込みを行う磁気ヘッド２９と、通帳への印字を行う印字ヘッド３０とを有する。通帳搬送ローラ２２は、図示しないアクチュエータによって駆動される。
【００４０】
通帳への印字は、通帳が通帳搬送ローラ２２によって印字開始位置まで搬送された後に印字ヘッド３０によって行われる。また、通帳の磁気ストライプに対する磁気データの読み取りまたは書き込みは、通帳が通帳搬送ローラ２２によって読み取り開始位置または書き込み開始位置まで搬送された後に磁気ヘッド２９によって行われる。磁気データの読み取りまたは書き込みのタイプとしては、磁気ヘッド２９を固定した状態で通帳を移動させて行うタイプと通帳を固定した状態で磁気ヘッドを移動させて行うタイプとが存在する。
【００４１】
以上において、一般的な媒体処理装置９０の概要を説明した。図２を参照しながら説明したように、一般的な媒体処理装置９０においては、通帳記帳部１４０と現金処理部１６０とが独立してケース１８０の内部に存在している。すなわち、通帳が搬送される搬送路と紙幣が搬送される搬送路とが個別に存在し、媒体処理装置９０は双方の搬送路を収容する必要があるため、媒体処理装置９０のサイズが大きくなってしまう。
【００４２】
そこで、本発明の実施形態においては、通帳と紙幣とを処理する媒体処理装置のサイズを小さくすることが可能な技術について主に説明する。なお、本発明の実施形態においては、通帳と紙幣とを処理する媒体処理装置について説明するが、媒体処理装置が取り扱う媒体の種類は、通帳と紙幣とに限定されない。すなわち、本発明の実施形態に係る媒体処理装置は、複数種類の媒体を処理する装置であればよい。
【００４３】
（２．本実施形態に係る媒体処理装置の概要）
まず、図４を参照しながら、本発明の実施形態に係る媒体処理装置の概要について説明する。なお、本発明の実施形態に係る媒体処理装置のサイズを小さくするという趣旨に鑑みて、媒体処理装置のサイズを小さくすることが有用である形態（一例として、媒体処理装置が自動車に搭載される形態）を想定する。そこで、図４を参照しながら、本発明の実施形態に係る媒体処理装置と媒体処理装置が搭載される自動車とを有する移動取引自動車の概要についても説明する。
【００４４】
しかし、本発明の実施形態に係る媒体処理装置は、自動車に搭載されなくてもよく、例えば、銀行の店舗に設置されてもよいし、他の場所に設置されてもよい。また、本発明の実施形態に係る媒体処理装置が有する構成のうち、一般的な媒体処理装置が有する構成と共通する構成については、当該構成と同一の符号を付して説明を省略する。また、本発明の実施形態に係る移動取引自動車が有する構成のうち、一般的な移動取引自動車が有する構成と共通する構成については、当該構成と同一の符号を付して説明を省略する。
【００４５】
図４は、本発明の実施形態に係る移動取引自動車１の外観を示す説明図である。図４に示すように、本発明の実施形態に係る媒体処理装置１０は、制御端末１３０を備えている。媒体処理装置１０は、以下に説明する第１の実施形態から第４の実施形態までのそれぞれにおいて媒体処理装置１０Ａ〜１０Ｄとして機能する。制御端末１３０が有する制御部１３１は、一般的な媒体処理装置９０における制御端末１２０が有する制御部１２１とは、その機能が異なっている。制御部１３１は、以下に説明する第１の実施形態から第４の実施形態までのそれぞれにおいて制御部１３１Ａ〜１３１Ｄとして機能する。
【００４６】
また、本発明の実施形態に係る媒体処理装置１０は、ケース１８０の内部に通帳への記帳および紙幣の収納の双方を行う媒体処理部１５０を有している。媒体処理部１５０は、以下に説明する第１の実施形態から第４の実施形態までのそれぞれにおいて媒体処理部１５０Ａ〜１５０Ｄとして機能する。また、本発明の実施形態に係る媒体処理装置１０は、通帳および紙幣の双方の出入口である媒体挿入口１５２を有している。ケース１８０は、媒体挿入口１５２と対面する領域に開口部１８２８を有している。以下においては、第１の実施形態から第４の実施形態までのそれぞれについて説明する。
【００４７】
（３．第１の実施形態の説明）
まず、第１の実施形態について説明する。図５は、第１の実施形態に係る媒体処理装置１０Ａにおける媒体処理部１５０Ａの内部構成例を示す平面図および側面図である。図５を参照しながら、第１の実施形態に係る媒体処理装置１０Ａにおける媒体処理部１５０Ａの構成について説明する。図５に示すように、媒体処理部１５０Ａは、紙幣および通帳が挿入される媒体挿入口１５２を備える。また、媒体処理部１５０Ａは、紙幣および通帳の双方が搬送される搬送路３２を備える。
【００４８】
媒体処理部１５０Ａは、通帳を把持しながら回転することによって通帳を搬送する通帳搬送ローラ２２を備える。なお、通帳搬送ローラ２２は、通帳を搬送する通帳搬送部（第１の搬送部）の例に過ぎないため、通帳搬送ローラ２２の代わりに、他の構成によって通帳が搬送されてもよい。また、図５に示した例では、媒体処理部１５０Ａが３対の通帳搬送ローラ２２を有しているが、媒体処理部１５０Ａが有する通帳搬送ローラ２２の数は限定されない。
【００４９】
媒体処理部１５０Ａは、紙幣搬送ベルト２３および紙幣搬送ローラ３１を備える。紙幣搬送ローラ３１は、紙幣搬送ベルト２３との間に紙幣を挟みながら回転することによって紙幣を搬送する。なお、紙幣搬送ベルト２３および紙幣搬送ローラ３１は、紙幣を搬送する紙幣搬送部（第２の搬送部）の例に過ぎないため、紙幣搬送ベルト２３および紙幣搬送ローラ３１の代わりに、他の構成によって紙幣が搬送されてもよい。また、図５に示した例では、媒体処理部１５０Ａが３つの紙幣搬送ローラ３１を有しているが、媒体処理部１５０Ａが有する紙幣搬送ローラ３１の数は限定されない。
【００５０】
通帳搬送ローラ２２および紙幣搬送ローラ３１は、図示しないアクチュエータによって駆動される。紙幣の長手方向のサイズは、通帳の長手方向のサイズよりも大きいのが通例であるため、搬送路３２の幅方向における２つの紙幣搬送ローラ３１の間の距離は、２つの通帳搬送ローラ２２の間の距離よりも長くてよい。１対の紙幣搬送ローラ３１は、図示されないアクチュエータにより互いに接近して媒体を挟み込んだり互いに離間したりする。同様に、通帳搬送ローラ２２および紙幣搬送ローラ３１は、図示されないアクチュエータにより互いに接近して媒体を挟み込んだり互いに離間したりする。
【００５１】
また、媒体処理部１５０Ａは、搬送された紙幣を認識する紙幣認識部２４を備える。紙幣の認識は、金種の認識、正常紙幣であるか否かの認識などであってよい。また、媒体処理部１５０Ａは、紙幣収納部（紙幣カセット）２５〜２７、リジェクト収納部（リジェクトカセット）２８などを有している。例えば、紙幣収納部２５〜２７は、収納する紙幣の金種があらかじめ定められており、例えば、紙幣収納部２５は、１千円札を収納し、紙幣収納部２６は、５千円札を収納し、紙幣収納部２７は、１万円札を収納してよい。また、リジェクト収納部２８は、リジェクト紙幣を収納してよい。
【００５２】
また、媒体処理部１５０Ａは、通帳の磁気ストライプに対する磁気データの読み取りまたは書き込みを行う磁気ヘッド２９を備える。磁気ヘッド２９の位置は特に限定されない。また、媒体処理部１５０Ａは、通帳への印字を行う印字ヘッド３０を備える。印字ヘッド３０の位置も特に限定されない。
【００５３】
制御部１３１Ａは、通帳に対しては所定の第１の処理を制御し、紙幣に対しては第１の処理とは異なる所定の第２の処理を制御する。例えば、制御部１３１Ａは、媒体挿入口１５２から挿入された通帳に対する印字処理を印字ヘッド３０に実行させ、通帳に対する印字に関する情報（例えば、印字した頁および印字済み行など）を磁気ヘッド２９により通帳に対して書き込ませ、媒体挿入口１５２から挿入された紙幣を紙幣収納部２５〜２７のいずれかに搬送させる処理を紙幣搬送ベルト２３および紙幣搬送ローラ３１に実行させてよい。このとき、紙幣収納部２５〜２７のうち、紙幣認識部２４における紙幣の認識結果に対応する収納部に紙幣を搬送すればよい。
【００５４】
以上に説明したように、第１の実施形態によれば、通帳および紙幣の双方に共通の搬送路３２が存在するため、媒体処理装置１０のサイズが大きくなってしまうことを抑制することが可能となる。また、第１の実施形態によれば、通帳および紙幣の双方に共通の搬送路３２が存在するため、媒体処理部１５０の重量が大きくなってしまうことを抑制することが可能となる。また、第１の実施形態によれば、通帳および紙幣が挿入される共通の媒体挿入口１５２が存在するため、通帳および紙幣それぞれをどこに挿入すべきかをオペレータに迷わせてしまう可能性を低減することが可能となる。
【００５５】
続いて、図６を参照しながら、第１の実施形態に係る媒体処理装置１０Ａにおける制御部１３１Ａの動作について説明する。図６に示すように、制御部１３１Ａは、表示操作部１２２を介して処理選択画面の表示を制御する（ステップＳ１１）。続いて、制御部１３１Ａは、表示操作部１２２によって検出されたオペレータからの処理選択が出金である場合（ステップＳ１２において「処理＝出金」）、表示操作部１２２を介してオペレータからの出金額の入力を受け付ける（ステップＳ２１）。
【００５６】
続いて、制御部１３１Ａは、媒体挿入口１５２にオペレータから挿入された通帳を受け取らせると（ステップＳ２２）、磁気ヘッド２９に通帳から口座番号を読み取らせ、口座番号に対応する残高をホストコンピュータ２０から取得する。そして、制御部１３１Ａは、残高が出金額を下回っていなければ、通帳搬送ローラ２２に通帳を搬送させて印字ヘッド３０に通帳への出金額の印字を実行させ（ステップＳ２３）、磁気ヘッド２９に磁気データの書き込みを実行させる。続いて、制御部１３１Ａは、通帳搬送ローラ２２に媒体挿入口１５２からオペレータへの通帳の返却を行わせる（ステップＳ２４）。
【００５７】
続いて、オペレータによって媒体挿入口１５２から通帳が引き抜かれると、制御部１３１Ａは、出金額に相当する紙幣を紙幣収納部２５〜２７に繰り出させ、出金額に相当する紙幣を紙幣搬送ベルト２３および紙幣搬送ローラ３１に媒体挿入口１５２から出金させる（ステップＳ２５）。媒体挿入口１５２から出金された紙幣は、オペレータによって引き抜かれる。
【００５８】
一方、制御部１３１Ａは、表示操作部１２２によって検出されたオペレータからの処理選択が入金である場合（ステップＳ１２において「処理＝入金」）、媒体挿入口１５２にオペレータから挿入された紙幣を受け取らせる（ステップＳ３１）。そして、制御部１３１Ａは、紙幣認識部２４による認識結果に基づいて紙幣を紙幣収納部２５〜２７に搬送させる処理を紙幣搬送ベルト２３および紙幣搬送ローラ３１に実行させる。そして、紙幣収納部２５〜２７は、当該紙幣を収納する。
【００５９】
続いて、制御部１３１Ａは、媒体挿入口１５２にオペレータから挿入された通帳を受け取らせ（ステップＳ３２）、紙幣搬送ベルト２３および紙幣搬送ローラ３１に紙幣を搬送させて印字ヘッド３０に通帳への入金額の印字を実行させ（ステップＳ３３）、磁気ヘッド２９に磁気データの書き込みを実行させる。続いて制御部１３１Ａは、通帳搬送ローラ２２に媒体挿入口１５２からオペレータへの通帳の返却を行わせる（ステップＳ３４）。
【００６０】
ここで、図６に示した動作例では、通帳返却（ステップＳ２４）の後に紙幣出金（ステップＳ２５）が行われるため、通帳が返却されたにも関わらず紙幣が詰まってしまった場合などには、実際には行われていない出金が通帳に印字されてしまう。そこで、媒体処理装置１０の内部に退避路を設け、退避路に通帳を退避させた状態で紙幣を出金し、紙幣の出金がなされてから通帳に印字をして通帳を排出すれば、実際には行われていない出金が通帳に印字されてしまう事態を免れることができる。
【００６１】
しかし、媒体処理装置１０の内部に退避路を設けてしまうと、媒体処理部１５０の重量が大きくなってしまうことを抑制するという本実施形態の趣旨に沿わないことになってしまう。そこで、図７を参照しながら、第１の実施形態に係る媒体処理装置１０Ａにおける制御部１３１Ａの他の動作について説明する。図７に示す動作例は、図６に示した動作例と、処理選択が出金である場合（ステップＳ１２において「処理＝出金」）に実行される動作が異なっている。
【００６２】
図７に示すように、制御部１３１Ａは、表示操作部１２２によって検出されたオペレータからの処理選択が出金である場合（ステップＳ１２において「処理＝出金」）、表示操作部１２２を介してオペレータからの出金額の入力を受け付ける（ステップＳ２１）。ここで、通帳がまだ挿入されていないため、図示しないカードリーダによってキャッシュカードから口座番号を読み取るようにカードリーダを制御する（ステップＳ４１）。
【００６３】
そして、制御部１３１Ａは、口座番号に対応する残高をホストコンピュータ２０から取得し、残高が出金額を下回っていなければ、制御部１３１Ａは、出金額に相当する紙幣を紙幣収納部２５〜２７に繰り出させ、出金額に相当する紙幣を紙幣搬送ベルト２３および紙幣搬送ローラ３１に媒体挿入口１５２から出金させる（ステップＳ２５）。媒体挿入口１５２から出金された紙幣は、オペレータによって引き抜かれる。
【００６４】
続いて、制御部１３１Ａは、媒体挿入口１５２にオペレータから挿入された通帳を受け取らせると（ステップＳ２２）、通帳搬送ローラ２２に通帳を搬送させて印字ヘッド３０に通帳への出金額の印字を実行させ（ステップＳ２３）、磁気ヘッド２９に磁気データの書き込みを実行させる。続いて、制御部１３１Ａは、通帳搬送ローラ２２に媒体挿入口１５２からオペレータへの通帳の返却を行わせる（ステップＳ２４）。続いて、オペレータによって媒体挿入口１５２から通帳が引き抜かれる。
【００６５】
図７を参照しながら説明したように、媒体挿入口１５２によって通帳が受け取られる前に紙幣が媒体挿入口１５２から出金されてもよい。そうすれば、通帳を退避させるための退避路を設ける必要がないため、媒体処理部１５０の重量が大きくなってしまうことを抑制しつつ、実際には行われていない出金が通帳に印字されてしまう事態を免れることができる
【００６６】
なお、上記においては、媒体処理部１５０Ａが紙幣を認識する紙幣認識部２４を備える例を説明した。しかし、媒体処理部１５０Ａは紙幣認識部２４を備えていなくてもよい。すなわち、制御部１３１Ａは、媒体挿入口１５２からオペレータに挿入させる紙幣の金額（例えば、金種ごとの紙幣の枚数）を入金額として表示操作部１２２に表示させる。オペレータは、表示された入金額に従って紙幣を媒体挿入口１５２から挿入する。続いて、制御部１３１Ａは、媒体挿入口１５２から挿入された紙幣を入金額に対応する収納部２５〜２７に搬送させる。
【００６７】
以上に説明したように、媒体処理部１５０Ａが紙幣認識部２４を備えないようにすれば、媒体処理装置１０のサイズが大きくなってしまうことをさらに抑制することが可能となる。また、媒体処理部１５０Ａが紙幣認識部２４を備えないようにすれば、媒体処理部１５０の重量が大きくなってしまうことをさらに抑制することが可能となる。
【００６８】
なお、上記においては、制御部１３１Ａが通帳に対する印字に関する情報（例えば、印字した頁および印字済み行など）を磁気ヘッド２９により通帳に対して書き込む処理を制御する例を説明した。しかし、印字に関する情報は、通帳以外の場所に書き込まれてもよい。すなわち、制御部１３１Ａは、印字に関する情報をホストコンピュータ２０に送信する送信処理を制御してもよい。このとき、印字データは、ホストコンピュータ２０によって管理されてよい。
【００６９】
その後、印字に関する情報がホストコンピュータ２０によって管理され、磁気ヘッドを有する装置（例えば、自動取引装置など）に通帳が別途挿入し直された場合、磁気ヘッドを有する装置において、通帳から検出された印字に関する情報とホストコンピュータ２０によって管理されている印字に関する情報との間で照合が行ない、双方の情報が一致する場合に、印字に関する情報を通帳に書き込むようにすればよい。
【００７０】
以上に説明したように、媒体処理部１５０Ａが磁気ヘッド２９を備えないようにすれば、媒体処理装置１０のサイズが大きくなってしまうことをさらに抑制することが可能となる。また、媒体処理部１５０Ａが磁気ヘッド２９を備えないようにすれば、媒体処理部１５０の重量が大きくなってしまうことをさらに抑制することが可能となる。また、照合によって、通帳から検出された印字に関する情報に誤りがある場合に、印字に関する情報が通帳に書き込まれることを防ぐことが可能である。
【００７１】
（４．第２の実施形態の説明）
続いて、第２の実施形態について説明する。以下の説明において、第２の実施形態に係る媒体処理装置１０Ｂが有する構成のうち、第１の実施形態に係る媒体処理装置１０Ａが有する構成と共通する構成については、当該構成と同一の符号を付して説明を省略する。図８は、第２の実施形態に係る媒体処理装置１０Ｂにおける媒体処理部１５０Ｂの内部構成例を示す平面図および側面図である。図８を参照しながら、第２の実施形態に係る媒体処理装置１０Ｂにおける媒体処理部１５０Ｂの構成について説明する。
【００７２】
図８に示すように、媒体処理部１５０Ｂは、媒体挿入口１５２の奥に印字ヘッド３０を有する。また、媒体処理部１５０Ｂは、印字ヘッド３０の奥に磁気ヘッド２９を有する。また、媒体処理部１５０Ｂは、搬送路３２を塞ぐように設けられたシャッタ４３を有しており、シャッタ４３は、図示しないアクチュエータにより指定位置に移動することが可能である。シャッタ４３には、シャッタ４３に通帳が突き当たったことを検出するセンサ４４が設けられている。なお、第２の実施形態におけるセンサ４４は、シャッタ４３と通帳との接触を検出可能なセンサであれば、特に限定されないが、フォロインタラプタであってもよい。
【００７３】
制御部１３１Ｂは、処理選択として出金が選択され、出金額の入力が受け付けられると、シャッタ４３を印字ヘッド３０まで移動させ、シャッタ４３に通帳が突き当てられたことがセンサ４４によって検出された場合、通帳への印字を印字ヘッド３０に実行させる。続いて、制御部１３１Ｂは、通帳への印字が完了すると、シャッタ４３を磁気ヘッド２９まで移動させ、シャッタ４３に通帳が再度突き当てられたことがセンサ４４によって検出された場合、通帳への磁気データの書き込みを磁気ヘッド２９に実行させる。
【００７４】
磁気データの書き込みが完了し、通帳が媒体挿入口１５２から引き抜かれると、制御部１３１Ｂは、出金額に相当する紙幣を紙幣収納部２５〜２７に繰り出させ、出金額に相当する紙幣を紙幣搬送ベルト２３および紙幣搬送ローラ３１に媒体挿入口１５２から出金させる。媒体挿入口１５２から出金された紙幣は、オペレータによって引き抜かれる。
【００７５】
なお、上記においては、通帳への印字がなされた後に、通帳への磁気データの書き込みが行われる例を主に説明した。しかし、通帳への印字と通帳への磁気データの書き込みとの処理順序は特に限定されない。すなわち、通帳への磁気データの書き込みがなされた後に通帳への印字がなされてもよい。
【００７６】
より具体的には、制御部１３１Ｂは、処理選択として出金が選択され、出金額の入力が受け付けられると、シャッタ４３を磁気ヘッド２９まで移動させ、シャッタ４３に通帳が突き当てられたことがセンサ４４によって検出された場合、通帳への磁気データの書き込みを磁気ヘッド２９に実行させてよい。制御部１３１Ｂは、通帳への磁気データの書き込みが完了すると、シャッタ４３を印字ヘッド３０まで移動させ、シャッタ４３に通帳が再度突き当てられたことがセンサ４４によって検出された場合、通帳への印字を印字ヘッド３０に実行させてよい。
【００７７】
また、処理選択として入金が選択された場合も同様にシャッタ４３が利用されてよい。すなわち、制御部１３１Ｂは、処理選択として入金が選択され、入金額の入力が受け付けられると、紙幣認識部２４による認識結果に基づいて紙幣を紙幣収納部２５〜２７に搬送させる処理を紙幣搬送ベルト２３および紙幣搬送ローラ３１に実行させてよい。そして、紙幣収納部２５〜２７は、当該紙幣を収納してよい。
【００７８】
また、制御部１３１Ｂは、シャッタ４３に通帳が突き当てられたことがセンサ４４によって検出された場合、通帳への磁気データの書き込みを磁気ヘッド２９に実行させてよい。また、制御部１３１Ｂは、シャッタ５１に通帳が突き当てられたことがセンサ４４によって検出された場合、通帳への印字を印字ヘッド３０に実行させてよい。
【００７９】
以上に説明したように、第２の実施形態によれば、シャッタ４３に通帳が突き当てられたことがセンサ４４によって検出された場合、通帳への印字または通帳への磁気データの書き込みが実行される。そのため、印字ヘッド３０または磁気ヘッド２９の位置に通帳を位置合わせするための通帳搬送ローラ２２およびその駆動系が省略され得る。したがって、媒体処理部１５０のサイズが大きくなってしまうことを抑制するとともに、媒体処理部１５０の重量が大きくなってしまうことを抑制することが可能となる。
【００８０】
また、第２の実施形態によれば、通帳搬送ローラ２２の代わりに、シャッタ４３が印字ヘッド３０または磁気ヘッド２９の位置に通帳を位置合わせすればよいため、通帳搬送ローラ２２に通帳が突入したときに生じる衝撃によって位置合わせの精度が低下する可能性が低減される。また、通帳搬送ローラ２２によって通帳が送り出されるときに駆動系のバックラッシュ分余計に通帳が送り出されてしまうことによって位置合わせの精度が低下する可能性が低減される。
【００８１】
続いて、第２の実施形態に係る媒体処理装置１０Ｂにおける制御部１３１Ｂの動作について説明する。ここでは、出金時に通帳への印字がなされた後、通帳への磁気データの書き込みが行われる例を説明する。まず、制御部１３１Ｂは、表示操作部１２２を介して処理選択画面の表示を制御する。
【００８２】
続いて、制御部１３１Ｂは、表示操作部１２２によって検出されたオペレータからの処理選択が出金である場合、表示操作部１２２を介してオペレータからの出金額の入力を受け付け、通帳がシャッタ４３に突き当てられたときに通帳における印字開始位置と印字ヘッド３０の位置とが一致するようにシャッタ４３を移動させる。
【００８３】
続いて、制御部１３１Ｂは、媒体挿入口１５２にオペレータから通帳が挿入され、センサ４４によってシャッタ４３に通帳が突き当てられたことが検出されると、搬送路３２の下面とシャッタ４３の上面とで通帳を挟み込むようにシャッタ４３を上昇させる。制御部１３１Ｂは、挟み込みが完了したら、印字ヘッド３０に通帳への印字を実行させ、印字が完了すると、シャッタ４３を下降させて挟み込みを解除する。
【００８４】
続いて、制御部１３１Ｂは、通帳が再度シャッタ４３に突き当てられたときに通帳の磁気データ書き込み開始位置と磁気ヘッド２９の位置とが一致するようにシャッタ４３を移動させる。続いて、制御部１３１Ｂは、媒体挿入口１５２にオペレータから通帳が再度挿入され、センサ４４によってシャッタ４３に通帳が再度突き当てられたことが検出されると、搬送路３２の下面とシャッタ４３の上面とで通帳を挟み込むようにシャッタ４３を上昇させる。
【００８５】
制御部１３１Ｂは、挟み込みが完了したら、磁気ヘッド２９に通帳への磁気データの書き込みを実行させ、磁気データの書き込みが完了すると、シャッタ４３を下降させて挟み込みを解除する。オペレータによって媒体挿入口１５２から通帳が引き抜かれると、制御部１３１Ｂは、出金額に相当する紙幣を紙幣収納部２５〜２７に繰り出させ、出金額に相当する紙幣を紙幣搬送ベルト２３および紙幣搬送ローラ３１に媒体挿入口１５２から出金させる。媒体挿入口１５２から出金された紙幣は、オペレータによって引き抜かれる。
【００８６】
（５．第３の実施形態の説明）
続いて、第３の実施形態について説明する。以下の説明において、第３の実施形態に係る媒体処理装置１０Ｃが有する構成のうち、第１の実施形態に係る媒体処理装置１０Ａが有する構成と共通する構成については、当該構成と同一の符号を付して説明を省略する。図９は、第３の実施形態に係る媒体処理装置１０Ｃにおける媒体処理部１５０Ｃの内部構成例を示す平面図および側面図である。図９を参照しながら、第３の実施形態に係る媒体処理装置１０Ｃにおける媒体処理部１５０Ｃの構成について説明する。
【００８７】
図９に示すように、媒体処理部１５０Ｃは、２対の通帳搬送ローラ２２が省略された代わりに、搬送路３２を塞ぐように設けられたシャッタ５１を有している。また、媒体処理部１５０Ｃは、図示しないアクチュエータにより通帳搬送ローラ２２が上下動されると、通帳搬送ローラ２２の上下動と反対の動きをシャッタ５１に与えるための図示しないリンク機構を備えている。シャッタ５１には、シャッタ５１に通帳が突き当たったことを検出するセンサ５２が設けられている。なお、第３の実施形態におけるセンサ５２は、シャッタ５１と通帳との接触を検出可能なセンサであれば、特に限定されないが、フォロインタラプタであってもよい。
【００８８】
制御部１３１Ｃは、処理選択として出金が選択され、出金額の入力が受け付けられると、シャッタ５１に通帳が突き当てられたことがセンサ５２によって検出された場合、通帳への磁気データの書き込みを磁気ヘッド２９に実行させてよい。制御部１３１Ｃは、通帳への磁気データの書き込みが完了すると、搬送路３２を塞がないようにシャッタ５１を移動させ、通帳を印字ヘッド３０まで通帳搬送ローラ２２に搬送させ、通帳への印字を印字ヘッド３０に実行させてよい。
【００８９】
より具体的には、制御部１３１Ｃは、処理選択として出金が選択され、出金額の入力が受け付けられると、シャッタ５１に通帳が突き当てられたことがセンサ５２によって検出された場合、通帳への印字を印字ヘッド３０に実行させてよい。続いて、制御部１３１Ｃは、通帳への印字が完了し、シャッタ５１に通帳が再度突き当てられたことがセンサ５２によって検出された場合、搬送路３２を塞がないようにシャッタ５１を移動させ、通帳を磁気ヘッド２９まで通帳搬送ローラ２２に搬送させ、通帳への磁気データの書き込みを磁気ヘッド２９に実行させてよい。
【００９０】
磁気データの書き込みが完了し、通帳が媒体挿入口１５２から引き抜かれると、制御部１３１Ｃは、出金額に相当する紙幣を紙幣収納部２５〜２７に繰り出させ、出金額に相当する紙幣を紙幣搬送ベルト２３および紙幣搬送ローラ３１に媒体挿入口１５２から出金させる。媒体挿入口１５２から出金された紙幣は、オペレータによって引き抜かれる。
【００９１】
なお、上記においては、通帳への磁気データの書き込みがなされた後に、通帳への印字が行われる例を主に説明した。しかし、通帳への印字と通帳への磁気データの書き込みとの処理順序は特に限定されない。すなわち、通帳への印字がなされた後に通帳への磁気データの書き込みがなされてもよい。そのとき、印字ヘッド３０の奥に磁気ヘッド２９が設けられ、シャッタ５１は、印字ヘッド３０の位置に設けられていてよい。
【００９２】
また、処理選択として入金が選択された場合も同様にシャッタ５１が利用されてよい。すなわち、制御部１３１Ｃは、処理選択として入金が選択され、入金額の入力が受け付けられると、紙幣認識部２４による認識結果に基づいて紙幣を紙幣収納部２５〜２７に搬送させる処理を紙幣搬送ベルト２３および紙幣搬送ローラ３１に実行させてよい。そして、紙幣収納部２５〜２７は、当該紙幣を収納してよい。
【００９３】
また、制御部１３１Ｃは、シャッタ５１に通帳が突き当てられたことがセンサ５２によって検出された場合、通帳への磁気データの書き込みを磁気ヘッド２９に実行させてよい。また、制御部１３１Ｃは、シャッタ５１に通帳が突き当てられたことがセンサ５２によって検出された場合、通帳への印字を印字ヘッド３０に実行させてよい。
【００９４】
以上に説明したように、第３の実施形態によれば、第２の実施形態と同様の効果を奏し得る。また、第３の実施形態においては、シャッタ５１は水平方向には移動せず、上下方向に移動するだけである。そのため、第３の実施形態によれば、第２の実施形態のように、シャッタ４３が水平方向に移動する形態と比較して、シャッタ５１の移動範囲を狭くすることが可能となる。
【００９５】
続いて、第３の実施形態に係る媒体処理装置１０Ｃにおける制御部１３１Ｃの動作について説明する。ここでは、出金時に通帳への磁気データの書き込みがなされた後、通帳への印字が行われる例を説明する。シャッタ５１は、通帳がシャッタ５１に突き当てられたときに通帳における磁気データの書き込み開始位置と磁気ヘッド２９の位置とが一致するように配置されている。また、初期状態において、通帳搬送ローラ２２は搬送路３２を塞がないように下がっている一方、シャッタ５１は搬送路３２を塞ぐように上がっている。
【００９６】
まず、制御部１３１Ｃは、表示操作部１２２を介して処理選択画面の表示を制御する。続いて、制御部１３１Ｃは、表示操作部１２２によって検出されたオペレータからの処理選択が出金である場合、表示操作部１２２を介してオペレータからの出金額の入力を受け付ける。
【００９７】
続いて、制御部１３１Ｃは、媒体挿入口１５２にオペレータから通帳が挿入され、センサ５２によってシャッタ５１に通帳が突き当てられたことが検出されると、搬送路３２の下面とシャッタ４３の上面とで通帳を挟み込むようにシャッタ５１を上昇させる。制御部１３１Ｃは、挟み込みが完了したら、磁気ヘッド２９に通帳への磁気データの書き込みを実行させ、書き込みが完了すると、シャッタ５１を下降させて挟み込みを解除する。
【００９８】
また、制御部１３１Ｃは、通帳搬送ローラ２２を上昇させて通帳搬送ローラ２２により通帳を搬送可能な状態とする。続いて、制御部１３１Ｃは、媒体挿入口１５２にオペレータから通帳が再度挿入されると、通帳搬送ローラ２２を回転させることにより印字ヘッド３０への通帳の搬送を実行させる。
【００９９】
続いて、制御部１３１Ｃは、印字ヘッド３０に通帳への印字を実行させる。そして、印字が完了すると、オペレータによって媒体挿入口１５２から通帳が引き抜かれ、制御部１３１Ｃは、出金額に相当する紙幣を紙幣収納部２５〜２７に繰り出させ、出金額に相当する紙幣を紙幣搬送ベルト２３および紙幣搬送ローラ３１に媒体挿入口１５２から出金させる。媒体挿入口１５２から出金された紙幣は、オペレータによって引き抜かれる。
【０１００】
（６．第４の実施形態の説明）
続いて、第４の実施形態について説明する。以下の説明において、第４の実施形態に係る媒体処理装置１０Ｄが有する構成のうち、第１の実施形態に係る媒体処理装置１０Ａが有する構成と共通する構成については、当該構成と同一の符号を付して説明を省略する。図１０は、第４の実施形態に係る媒体処理装置１０Ｄにおける媒体処理部１５０Ｄの内部構成例を示す平面図および側面図である。図１０を参照しながら、第４の実施形態に係る媒体処理装置１０Ｄにおける媒体処理部１５０Ｄの構成について説明する。
【０１０１】
図１０に示すように、媒体処理部１５０Ｄは、２対の通帳搬送ローラ２２が省略された代わりに、媒体挿入口１５２を塞ぐように設けられたシャッタ６１を有している。シャッタ６１は、通帳が突き当てられた状態で奥に押されると、シャッタ突き当て面６２に突き当たるまで移動され得る（シャッタ６１Ｘ）。シャッタ６１がシャッタ突き当て面６２に突き当てられたことが検出されると、図示しないリンク機構により通帳搬送ローラ２２が上昇されることによって通帳がクランプされ、シャッタ６１は下降する。
【０１０２】
制御部１３１Ｄは、処理選択として出金が選択され、出金額の入力が受け付けられると、シャッタ６１がスライドしてシャッタ突き当て面６２に突き当てられたことが検出された場合、シャッタ６１に突き当てられている通帳への磁気データの書き込みを磁気ヘッド２９に実行させてよい。制御部１３１Ｄは、通帳への磁気データの書き込みが完了すると、搬送路３２を塞がないようにシャッタ６１を移動させ、通帳を印字ヘッド３０まで通帳搬送ローラ２２に搬送させ、通帳への印字を印字ヘッド３０に実行させてよい。
【０１０３】
磁気データの書き込みが完了し、通帳が媒体挿入口１５２から引き抜かれると、制御部１３１Ｄは、出金額に相当する紙幣を紙幣収納部２５〜２７に繰り出させ、出金額に相当する紙幣を紙幣搬送ベルト２３および紙幣搬送ローラ３１に媒体挿入口１５２から出金させる。媒体挿入口１５２から出金された紙幣は、オペレータによって引き抜かれる。
【０１０４】
なお、上記においては、通帳への磁気データの書き込みがなされた後に、通帳への印字が行われる例を主に説明した。しかし、通帳への印字と通帳への磁気データの書き込みとの処理順序は特に限定されない。すなわち、通帳への印字がなされた後に通帳への磁気データの書き込みがなされてもよい。そのとき、印字ヘッド３０の奥に磁気ヘッド２９が設けられていてよい。
【０１０５】
また、処理選択として入金が選択された場合も同様にシャッタ６１が利用されてよい。すなわち、制御部１３１Ｄは、処理選択として入金が選択され、入金額の入力が受け付けられると、紙幣認識部２４による認識結果に基づいて紙幣を紙幣収納部２５〜２７に搬送させる処理を紙幣搬送ベルト２３および紙幣搬送ローラ３１に実行させてよい。そして、紙幣収納部２５〜２７は、当該紙幣を収納してよい。
【０１０６】
また、制御部１３１Ｄは、シャッタ６１がシャッタ突き当て面６３に突き当てられたことが図示しないセンサによって検出された場合、シャッタ６１に突き当てられている通帳への磁気データの書き込みを磁気ヘッド２９に実行させてよい。また、制御部１３１Ｄは、シャッタ６１がシャッタ突き当て面６３に突き当てられたことがセンサによって検出された場合、通帳への印字を印字ヘッド３０に実行させてよい。
【０１０７】
なお、第４の実施形態におけるセンサは、シャッタ６１とシャッタ突き当て面６３との接触を検出可能なセンサであれば、特に限定されないが、フォロインタラプタであってもよいし、スイッチであってもよいし、シャッタ６１とシャッタ突き当て面６３との接触により流れる電流を検出する電流検出器であってもよい。
【０１０８】
以上に説明したように、第４の実施形態によれば、シャッタ６１がシャッタ突き当て面６３に突き当てられたことがセンサによって検出された場合、通帳への印字または通帳への磁気データの書き込みが実行される。そのため、印字ヘッド３０または磁気ヘッド２９の位置に通帳を位置合わせするための通帳搬送ローラ２２およびその駆動系が省略され得る。したがって、媒体処理部１５０のサイズが大きくなってしまうことを抑制するとともに、媒体処理部１５０の重量が大きくなってしまうことを抑制することが可能となる。
【０１０９】
また、第４の実施形態によれば、第４の実施形態と同様の効果を奏し得る。また、第４の実施形態においては、初期状態において、シャッタ６１が媒体挿入口１５２を塞ぐ位置に存在している。そのため、第４の実施形態によれば、媒体挿入口１５２から搬送路３２に異物が入り込んでしまうことを防止することが可能となる。
【０１１０】
続いて、第４の実施形態に係る媒体処理装置１０Ｄにおける制御部１３１Ｄの動作について説明する。ここでは、出金時に通帳への磁気データの書き込みがなされた後、通帳への印字が行われる例を説明する。初期状態において、シャッタ６１は、媒体挿入口１５２を塞ぐように配置されている。また、通帳搬送ローラ２２は搬送路３２を塞がないように下がっている。
【０１１１】
まず、制御部１３１Ｄは、表示操作部１２２を介して処理選択画面の表示を制御する。続いて、制御部１３１Ｄは、表示操作部１２２によって検出されたオペレータからの処理選択が出金である場合、表示操作部１２２を介してオペレータからの出金額の入力を受け付ける。
【０１１２】
続いて、制御部１３１Ｄは、媒体挿入口１５２にオペレータから通帳が挿入され、シャッタ６１に通帳が突き当てられた状態でシャッタ６１がシャッタ突き当て面６３に突き当てられるまで押し込まれたことが検出されると、通帳搬送ローラ２２を上昇させて通帳をクランプさせ、シャッタ６１を下降させる。制御部１３１Ｄは、磁気ヘッド２９に通帳への磁気データの書き込みを実行させ、書き込みが完了すると、通帳搬送ローラ２２を回転させることにより印字ヘッド３０への通帳の搬送を実行させる。
【０１１３】
続いて、制御部１３１Ｄは、印字ヘッド３０に通帳への印字を実行させる。そして、印字が完了すると、オペレータによって媒体挿入口１５２から通帳が引き抜かれ、制御部１３１Ｄは、出金額に相当する紙幣を紙幣収納部２５〜２７に繰り出させ、出金額に相当する紙幣を紙幣搬送ベルト２３および紙幣搬送ローラ３１に媒体挿入口１５２から出金させる。媒体挿入口１５２から出金された紙幣は、オペレータによって引き抜かれる。
【０１１４】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１１５】
また、媒体処理装置１０の動作全体を制御するための制御部１３１は、専用のハードウェアによって構成されてもよいし、媒体処理装置１０に内蔵されたＣＰＵ（Ｃｅｎｔｒａｌ  Ｐｒｏｃｅｓｓｉｎｇ  Ｕｎｉｔ）がＲＯＭ（Ｒｅａｄ  Ｏｎｌｙ  Ｍｅｍｏｒｙ）に記憶されたプログラムをＲＡＭ（Ｒａｎｄｏｍ  Ａｃｃｅｓｓ  Ｍｅｍｏｒｙ）に展開して実行することにより実現されてもよい。かかるプログラムが提供され得る他、かかるプログラムを記憶させた記憶媒体も提供され得る。
【符号の説明】
【０１１６】
１      移動取引自動車
２      金融機関
３      通信網
１０    媒体処理装置
１２    台座
１４    バッテリ
２０    ホストコンピュータ
２１    媒体挿入口
２２    通帳搬送ローラ
２３    紙幣搬送ベルト
２４    紙幣認識部
２５    紙幣収納部
２６    紙幣収納部
２７    紙幣収納部
２８    リジェクト収納部
２９    磁気ヘッド
３０    印字ヘッド
３１    紙幣搬送ローラ
３２    搬送路
４３    シャッタ
４４    センサ
５１    シャッタ
５２    センサ
６１    シャッタ
６２    シャッタ突き当て面
１２０  制御端末
１２１  制御部
１２２  表示操作部
１３０  制御端末
１３１  制御部
１４０  通帳記帳部
１４２  通帳出入口
１５０  媒体処理部
１５２  媒体挿入口
１６０  現金処理部
１６２  現金出入口
１８０  ケース
１８２２  ホルダ
１８２４  第１の開口部
１８２６  第２の開口部
１８２８  開口部
【図１】
2017004283.tif 000003
【図２】
2017004283.tif 000004
【図３】
2017004283.tif 000005
【図４】
2017004283.tif 000006
【図５】
2017004283.tif 000007
【図６】
2017004283.tif 000008
【図７】
2017004283.tif 000009
【図８】
2017004283.tif 000010
【図９】
2017004283.tif 000011
【図１０】
2017004283.tif 000012